(57)【要約】      （修正有）【課題】１個のルアーにて、カートリッジを交換することにより、光、音、臭い、動き、泡などの多種類の魚収集の動作を行うことが可能な多機能型ルアーを提供する。【解決手段】ルアー筐体１と複数のカートリッジを交換して装着して構成される多機能型ルアーであって、前記カートリッジは、取り外し可能なカートリッジであって、前記複数のカートリッジは、光、音、臭い、動き、泡などのいずれかの魚収集の動作を行う機能を有することを特徴とする。【選択図】図１
2014217292.tif 000002
【特許請求の範囲】
【請求項１】
ルアー筐体と複数のカートリッジを交換して装着して構成される多機能型ルアーであって、前記カートリッジは、取り外し可能なカートリッジであって、
前記複数のカートリッジは、光、音、臭い、動き、泡などのいずれかの魚収集のための動作を行う機能を有することを特徴とする多機能型ルアー。
【請求項２】
ルアー筐体と複数のカートリッジを交換して構成される多機能型ルアーであって、前記カートリッジは、取り外し可能なカートリッジであって、
前記カートリッジは、前記ルアー筐体の上側部の空間領域、あるいは下側部の空間領域
あるいは左右いずれかの空間領域、あるいは前後いずれかの空間領域に、装着されることを特徴とする多機能型ルアー。
【請求項３】
前記ルアー筐体と前記カートリッジとは、装着用のレール状のスライド部材などの固定冶具へはめ込まれ、ロックされるか、あるいは、凹凸機構にて、カートリッジをはめ込んだ後にロックされるか、あるいは、ネジ止めにてロックされることを特徴とする請求項１または２記載の多機能型ルアー。
【請求項４】
前記カートリッジは、光を発生する手段が設けられていることを特徴とする請求項１または２記載の多機能型ルアー。
【請求項５】
前記カートリッジは、音を発生する手段が設けられていることを特徴とする請求項１または２記載の多機能型ルアー。
【請求項６】
前記カートリッジは、臭いを発生する手段が設けられており、前記ートリッジは、アミノ酸、ドライフーズ、生餌のいずれかを収納していることを特徴とする請求項１または２記載の多機能型ルアー。
【請求項７】
前記カートリッジは、動き、泡を発生する場合のカートリッジは、炭酸カートリッジを収納していることを特徴とする請求項１または２記載の多機能型ルアー。
【請求項８】
ルアー筐体と複数機能を行うカートリッジを交換して装着して構成される多機能型ルアーであって、前記複数機能を行うカートリッジは、取り外し可能なカートリッジであって、
前記複数機能を行うカートリッジは、光、音、臭い、動き、泡などを発生をする手段の内、少なくとも２以上の手段を有しており、
魚収集のための動作を行う機能を有することを特徴とする多機能型ルアー。
【請求項９】
前記複数機能を行うカートリッジは、取り外し可能なカートリッジであって、
前記複数機能を行うカートリッジは、前記ルアー筐体の上側部の空間領域、あるいは下側部の空間領域、
あるいは左右いずれかの空間領域、
あるいは前後いずれかの空間領域に、装着されることを特徴とする請求項８記載の多機能型ルアー。
【請求項１０】
前記ルアー筐体と前記複数機能を行うカートリッジとは、装着用のレール状のスライド部材などの固定冶具へはめ込まれ、ロックされるか、あるいは、凹凸機構にて、カートリッジをはめ込んだ後にロックされるか、あるいは、ネジ止めにてロックされることを特徴とする請求項８または９記載の多機能型ルアー。
【発明の詳細な説明】
【技術分野】
【０００１】
本発明は、光、音、臭い、動き、泡発生などの多種類の魚を集めるための動作を行う単一機能のカートリッジが複数準備され、それぞれをルアー本体に、交換して取り付けることができる多機能型ルアー、あるいは光、音、臭い、動き、泡発生などの多種類の魚を集めるための動作の中の複数機能を行うカートリッジを交換して取り付けることができる多機能型ルアーに関する。
【背景技術】
【０００２】
従来のルアーは、個別に、個々の魚を集める機能に特化したルアーが一般的であった。
【０００３】
例えば、特許文献１には、臭い物質を詰めた容器（カートリッジ）を、ルアー本体の中心部に配置して、臭いで魚を集める事に特化したルアーについて記載されている。
【先行技術文献】
【特許文献】
【０００４】
【特許文献１】特開平１０−１６５０５１号公報
【発明の概要】
【発明が解決しようとする課題】
【０００５】
従来のルアーは、光、音、臭い、動き、泡発生のいずれかの専用のルアーであって、他の機能が必用な場合は、別のルアーを準備し、先の従来のルアーを釣竿からはずして、前記別のルアーを釣竿に取り付ける手間が必要であるという問題点があった。
【０００６】
また、特許文献１では、臭いを発生することに特化したルアーであるが、他の機能、例えば光の発生が必要な場合は、光を発生するルアーを準備し、特許文献１のルアーを釣竿からはずして、前記光を発生するルアーを釣竿に取り付ける手間が必要であるという問題点があった。
【０００７】
本発明の課題は、１個のルアー筐体に対して、カートリッジを交換することにより、光、音、臭い、動き、泡などの多種類の魚を集めるための動作を選択することが可能な、あるいは光、音、臭い、動き、泡などから選択された複数の機能を有するカートリッジを交換する多機能型ルアーを提供することである。
【課題を解決するための手段】
【０００８】
本発明の請求項１に係る発明は、ルアー筐体と複数のカートリッジを交換して装着して構成される多機能型ルアーであって、前記カートリッジは、取り外し可能なカートリッジであって、前記複数のカートリッジは、光、音、臭い、動き、泡などのいずれかの魚収集のための動作を行う機能を有することを特徴とする多機能型ルアーである。
【０００９】
本発明の請求項２に係る発明は、ルアー筐体と複数のカートリッジを交換して構成される多機能型ルアーであって、前記カートリッジは、取り外し可能なカートリッジであって、
前記カートリッジは、前記ルアー筐体の上側部の空間領域、あるいは下側部の空間領域、あるいは左右いずれかの空間領域に、あるいは前後いずれかの空間領域に収納されることを特徴とする多機能型ルアーである。
【００１０】
本発明の請求項３に係る発明は、前記ルアーと前記カートリッジとは、装着用レール状スライド部材などの固定冶具へはめ込まれ、ロックされるか、あるいは、凹凸機構にて、カートリッジをはめ込んだ後にロックされるか、あるいは、ネジ止めにてロックされることを特徴とする請求項１または２記載の多機能型ルアーである。
【００１１】
本発明の請求項４に係る発明は、前記カートリッジは、光を発生する手段が設けられていることを特徴とする請求項１または２記載の多機能型ルアーである。
【００１２】
本発明の請求項５に係る発明は、前記カートリッジは、音を発生する手段が設けられていることを特徴とする請求項１または２記載の多機能型ルアーである。
【００１３】
本発明の請求項６に係る発明は、前記カートリッジは、臭いを発生する手段が設けられており、前記ートリッジは、アミノ酸、ドライフーズ、生餌のいずれかを収納していることを特徴とする請求項１または２記載の多機能型ルアーである。
【００１４】
本発明の請求項７に係る発明は、前記カートリッジは、動き、泡を発生する場合のカートリッジは、炭酸カートリッジを収納していることを特徴とする請求項１または２記載の多機能型ルアーである。
【００１５】
本発明の請求項８に係る発明は、ルアー筐体と複数機能を行うカートリッジを交換して装着して構成される多機能型ルアーであって、前記複数機能を行うカートリッジは、取り外し可能なカートリッジであって、前記複数機能を行うカートリッジは、光、音、臭い、動き、泡などを発生をする手段の内、少なくとも２以上の手段を有しており、魚収集のための動作を行う機能を有することを特徴とする多機能型ルアーである。
【００１６】
本発明の請求項９に係る発明は、前記複数機能を行うカートリッジは、取り外し可能なカートリッジであって、前記複数機能を行うカートリッジは、前記ルアー筐体の上側部の空間領域、あるいは下側部の空間領域、あるいは左右いずれかの空間領域、あるいは前後いずれかの空間領域に、装着されることを特徴とする請求項８記載の多機能型ルアーである。
【００１７】
本発明の請求項１０に係る発明は、前記ルアー筐体と前記複数機能を行うカートリッジとは、装着用のレール状のスライド部材などの固定冶具へはめ込まれ、ロックされるか、あるいは、凹凸機構にて、カートリッジをはめ込んだ後にロックされるか、あるいは、ネジ止めにてロックされることを特徴とする請求項８または９記載の多機能型ルアーである。
【発明の効果】
【００１８】
請求項１に係る多機能型ルアーによれば、カートリッジを交換することにより、多機能の性能を発揮できる多機能型ルアーを提供できる。
【００１９】
請求項２、３に係る多機能型ルアーによれば、カートリッジをルアー筐体での位置を変えることができ、魚の捕食時の目線に隠れる場所へカートリッジを装着することができ、魚の警戒心を無くすことが可能となる。
【００２０】
請求項４〜７に係る多機能型ルアーによれば、それぞれのカートリッジが光、音、臭い、動き、泡発生など個別に特化した機能を有する多機能型ルアーを提供できる。
【００２１】
請求項８〜１０に係る多機能型ルアーによれば、複数の機能を有するカートリッジを交換することにより、更に、多機能の性能を発揮できる多機能型ルアーを提供できる。
【００２２】
本発明によれば、１個のルアー筐体に対して、カートリッジを交換することにより、光、音、臭い、動き、泡発生などの多種類の魚を集めるための動作を選択することが可能な、あるいは光、音、臭い、動き、泡などから選択された複数の機能を有するカートリッジを交換する多機能型ルアーを提供することができる。
【図面の簡単な説明】
【００２３】
【図１】本実施例１の多機能型ルアーの図。
【図２】本実施例２の多機能型ルアーの図。図２（ａ）は、ルアー筐体の後方の上側に上部装着用のカートリッジが装着され、図２（ｂ）は、ルアー筐体の下側に下部装着用のカートリッジが装着された図。
【図３】本実施例３の多機能型ルアーの図。図３（ａ）は、ルアー筐体の下方に装着用のレール状のスライド部材が突出しており、カートリッジの上部が前記スライド部材にはめ込まれて、固定される図、図３（ｂ）は、ルアー筐体の下方に装着用にレール状スライド部材４１などの固定冶具へはめ込まれて、固定される図。
【図４】本実施例４の多機能型ルアーの図。
【図５】本実施例５の多機能型ルアーの図。図５（ａ）は、カートリッジを装着する前の状態の図、図５（ｂ）は、カートリッジを装着後の多機能型ルアーの図。
【図６】本実施例６の多機能型ルアーの図。図６（ａ）は、カートリッジを装着する前の状態の図、図６（ｂ）は、カートリッジを装着後の多機能型ルアーの図。
【図７】本実施例７の多機能型ルアーの図。図７（ａ）は、カートリッジを装着後の多機能型ルアーの図、図６（ｂ）は、カートリッジを装着する前の状態の図。
【図８】実施例８の多機能型ルアーでの機能の組み合わせの図。
【発明を実施するための形態】
【００２４】
本発明の実施の形態による多機能型ルアーは、ルアー筐体１と複数のカートリッジ２，３，４を交換して装着して構成される多機能型ルアーであって、前記カートリッジは、取り外し可能なカートリッジであって、前記複数のカートリッジは、光、音、臭い、動き、泡発生などのいずれかの魚収集の動作を行う機能を有する。
【００２５】
本発明の実施の形態による多機能型ルアーは、複数のカートリッジを交換して構成される多機能型ルアーであって、前記カートリッジは、取り外し可能なカートリッジであって、
前記カートリッジは、前記ルアー筐体の上側部の空間領域、あるいは下側部の空間領域、あるいは左右いずれかの空間領域に、あるいは前後のいずれかの空間領域に装着される。
【００２６】
本発明の実施の形態による多機能型ルアーは、ルアー筐体８０と複数機能を行うカートリッジ８１を交換して装着して構成される多機能型ルアーであって、前記複数機能を行うカートリッジは、取り外し可能なカートリッジであって、前記複数機能を行うカートリッジは、光、音、臭い、動き、泡などを発生をする手段の内、少なくとも２以上の手段を有しており、魚収集の動作を行う機能を有することを特徴とする多機能型ルアーである。
【実施例】
【００２７】
本発明の多機能型ルアーの実施例について、以下説明する。
【００２８】
（実施例１）
図１は、実施例１の多機能型ルアーの図である。ルアー筐体１に、カートリッジ２、あるいはカートリッジ３あるいはカートリッジ４がカートリッジ装着方向５にて装着される。
それぞれカートリッジ２は、餌を装着することを特化したカートリッジであり、
カートリッジ３は、光を発光することに特化したカートリッジであり、
カートリッジ４は、泡発生のためのシャフトを有するカートリッジである。
【００２９】
（実施例２）
図２は、実施例２の多機能型ルアーの図である。図２（ａ）は、ルアー筐体１０の後方の上側に上部装着用のカートリッジ１１が装着され、図２（ｂ）は、ルアー筐体２０の下側に下部装着用のカートリッジ２１が装着された図である。
このように、カートリッジをルアー筐体の場所を変えて装着することによって、魚の捕食時の目線に隠れる場所へカートリッジを装着することができ、魚の警戒心を無くすことが可能となる。
【００３０】
（実施例３）
図３は、実施例３の多機能型ルアーの図である。図３（ａ）は、ルアー筐体３０の下方に装着用のレール状のスライド部材３１が突出しており、カートリッジ３２の上部が前記スライド部材３１にはめ込まれて、固定される。図３（ｂ）は、ルアー筐体４０の下方に装着用のレール状のスライド部材４１が突出しており、カートリッジ４２の上部が前記スライド部材４１にはめ込まれて、固定される。カートリッジの固定方法については、図３にて図示したレール部材３１，４１の形状は、カートリッジの寸法が大きい場合の１例であって、この固定方法だけには限られない。
【００３１】
カートリッジの寸法が大きい（長さ５ｃｍ以上）の場合、以下の各種の方式が選択される。
即ち、レール等でカートリッジを固定後にロックする、あるいは凹凸機構にて、カートリッジをはめ込んだ後にロックする方法、あるいは、ワンタッチロック（ばねが仕込まれているロック方法であり、ボタンを押すこと
で解除できる） 等が選択される。
【００３２】
カートリッジの寸法が小さい場合（長さ５ｃｍ未満）は、以下の方式が選択される。
即ち、ねじ込み後にロックする方法、あるいは凹凸機構にて、カートリッジをはめ込んだ後にロックする方法、あるいはネジ止め（単純にネジを回すことで固定）等が選択される。
【００３３】
（実施例４）
図４は、実施例４の多機能型ルアーの図である。ルア―筐体５０に、発光体５２が装着され、その発光体を覆うように、カートリッジ５１が装着される。
発光体５２の波長は、赤外線から、紫外線まで目的に応じて選択される。
発光体５２は、自己発光する液体などを組み込んでいる。あるいは、発光体５２は、ＬＥＤ素子による発光でも良く、その場合、小型電池が、ルア―筐体５０の内部に収められている。
【００３４】
（実施例５）
図５は、実施例５の多機能型ルアーの図である。図５（ａ）は、カートリッジを装着する前の状態の図、図５（ｂ）は、カートリッジを装着後の多機能型ルアーの図である。ルアー筐体６０の下部に、臭い発生物質収納部６２が配置され、カートリッジ６１が収納されている。ここで臭い発生物質としては、アミノ酸、ドライフーズ、生餌のいずれかを収納している。またカートリッジ６１の下側は、開放部があり、臭い発生物質が、カートリッジ内に水が流れることによって、海中へ拡散するように工夫されている。
【００３５】
（実施例６）
図６は、実施例６の多機能型ルアーの図である。図６（ａ）は、カートリッジを装着する前の状態の図、図６（ｂ）は、カートリッジを装着後の多機能型ルアーの図である。ルアー筐体７０には、回転プロペラ７２が配置され、カートリッジ７１が装着されている。前記回転プロペラ７２は、音を発生したり、泡を発生して、魚を引き付ける効果がる。また、回転プロペラを駆動するための駆動モータは、ルア―筐体７０の内部に収められている。
【００３６】
（実施例７）
図７は、本実施例７の多機能型ルアーの図である。図７（ａ）は、カートリッジを装着後の多機能型ルアーの図、図６（ｂ）は、カートリッジを装着する前の状態の図である。
ルアー筐体８０に、カートリッジ８１が装着された形体であり、ここで、カートリッジ８１が、複数の機能を有していることが特徴である。図７では、カートリッジ８１は、臭い発生タブレット８２と、発光体８３とを有しており、魚を寄せ付けるために、臭い発生と、光発生の２つの機能を有している。
このように、カートリッジが複数の機能を有していると、単一機能の場合よりも、魚を引き付ける効果が増加する。
【００３７】
（実施例８）
図８は、実施例８の多機能型ルアーでの機能の組み合わせ関係を示す図である。
図８は、４つの単体の機能、即ち、動（プロペラなどを回し動きを与える機能）、
光（光を発光する機能）、臭い（臭い物質にて、臭いを発散させる機能）、音（水流を利用するか、プロペラ回転によって音を発生させる機能）を図示し、組み合わせの例を示した図である。図８では、２つの機能を選択する図であるが、かならずしも、この場合に限られず、例えば、３つの機能を選択して、１個のカートリッジに前記機能を装着してもよい。
【産業上の利用可能性】
【００３８】
本発明によれば、１個のルアーにて、カートリッジを交換することにより、光、音、臭い、動き、泡などの機能を発揮することができ、多種類の魚を集めることが可能な多機能型ルアー、あるいは光、音、臭い、動き、泡発生などの多種類の魚を集めるための動作の中の複数機能を行うカートリッジを交換して取り付けることができる多機能型ルアーを提供することができ、釣り用業界の産業の発展に寄与することができる。
【符号の説明】
【００３９】
１  ルアー筐体
２  餌を装着するカートリッジ
３  光を発光するカートリッジ
４  シャフトを有するカートリッジ
５  カートリッジ装着方向
１０  ルアー筐体
１１  ルアーの上部装着用のカートリッジ
２０  ルアー筐体
２１  ルアーの下部装着用のカートリッジ
３０    ルアー筐体
３１    スライド部材
３２    カートリッジ
４０    ルアー筐体
４１    スライド部材
４２    カートリッジ
５０    ルアー筐体
５１    カートリッジ
５２    発光体
６０    ルアー筐体
６１    カートリッジ
６２、６３    臭い発生物質収納部
７０    ルアー筐体
７１    カートリッジ
７２    回転プロペラ
８０    ルアー筐体
８１    カートリッジ
８２    臭い発生タブレット
８３    発光体
【図１】
2014217292.tif 000003
【図２】
2014217292.tif 000004
【図３】
2014217292.tif 000005
【図４】
2014217292.tif 000006
【図５】
2014217292.tif 000007
【図６】
2014217292.tif 000008
【図７】
2014217292.tif 000009
【図８】
2014217292.tif 000010